(57)【要約】【解決手段】  本発明は、時計（３）のバンド（２）用の折り畳み式バックル留金（１）であって、装着者の手首の回りにバンド（２）を保持するための閉位置と、装着者の手から前記バンド（２）を取り外すための開位置とをとることができ、前記留金（１）は前記バンド（２）の第１及び第２ストランド（７ａ、７ｂ）それぞれにヒンジ状に取り付けられる第１および第２折り畳み式ブレード（６ａ、６ｂ）に枢動可能に取り付けられる各端部（５）を有する可撓性を有する係止部材（４）を有し、前記可撓性を有する部材（４）は二つの部品（８ａ、８ｂ）を弾性リンク（９）によって連結することにより前記留金（１）の前記閉位置にロックした状態で前記第１および第２ブレード（６ａ、６ｂ）を保持するよう構成される、留金（１）に関する。【選択図】  図１
2020513981.tif 000002
【特許請求の範囲】
【請求項１】
時計（３）のバンド（２）用の折り畳み式バックル留金（１）であって、装着者の手首の回りにバンド（２）を保持するための閉位置と、装着者の手から前記バンド（２）を取り外すための開位置とを取ることができ、前記留金（１）は前記バンド（２）の第１及び第２ストランド（７ａ、７ｂ）それぞれにヒンジ状に連結される第１および第２折り畳み式ブレード（６ａ、６ｂ）に枢動可能に取り付けられる各端部（５）を含む、可撓性を有する係止部材（４）を有し、前記可撓性を有する部材（４）は二つの部品（８ａ、８ｂ）を弾性リンク（９）によって連結することにより前記留金（１）の前記閉位置にロックした状態で前記第１および第２ブレード（６ａ、６ｂ）を保持するよう構成される、留金（１）。
【請求項２】
前記可撓性を有する係止部材（４）は、前記二つの部品（８ａ、８ｂ）を含む弾性を有するブレードである、請求項１に記載の留金（１）。
【請求項３】
前記二つの部品（８ａ、８ｂ）はそれぞれブレードに対応する、請求項１に記載の留金（１）。
【請求項４】
前記弾性リンク（９）は、前記二つの部品（８ａ、８ｂ）のそれぞれの本体、特に前記本体の一端、に画定された連結アーム（１０ａ、１０ｂ）を有する、請求項１から３のいずれか一項に記載の留金（１）。
【請求項５】
前記弾性リンク（９）は、前記二つの部品（８ａ、８ｂ）の前記連結アーム（１０ａ、１０ｂ）を連結する連結要素（１１）を有する、請求項１から４のいずれか一項に記載の留金（１）。
【請求項６】
前記連結アーム（１０ａ、１０ｂ）は、一端（１３ａ）で各部品（８ａ、８ｂ）の本体部の主要部（１２ａ、１２ｂ）に連結され、前記連結アーム（１０ａ、１０ｂ）の反対側の他端（１３ｂ）で連結要素（１１）に連結される、請求項５に記載の留金（１）。
【請求項７】
各部品（８ａ、８ｂ）は本体を有し、その一端には、連結アーム（１０ａ、１０ｂ）の一部を当該本体の主要部（１２ａ、１２ｂ）から離す、複数のスロット（１４）、特に二つのスロット（１４）を有する、請求項１から６のいずれか一項に記載の留金（１）。
【請求項８】
前記可撓性を有する係止部材（４）の実質的に凸状または凸状の外側面（１６ａ）および前記第１および第２ブレード（６ａ、６ｂ）の実質的に凹状または凹状の外側面（１７ａ）を含む外面（１５ａ）を有する、請求項１から７のいずれか一項に記載の留金（１）。
【請求項９】
前記第１および第２ブレード（６ａ、６ｂ）は硬いブレードである、請求項１から８のいずれか一項に記載の留金（１）。
【請求項１０】
前記第１および第２ブレード（６ａ、６ｂ）はそれぞれ、複数の側部材（１９ａ、１９ｂ）、特に二つの側部材（１９ａ、１９ｂ）を有する、フレーム（１８）を含む、請求項１から９のいずれか一項に記載の留金（１）。
【請求項１１】
前記側部材（１９ａ、１９ｂ）は互いに平行である、請求項１０に記載の留金（１）。
【請求項１２】
前記フレーム（１８）は前記側部材（１９ａ、１９ｂ）の間に画定される、前記フレーム（１８）を含む前記ブレード（６ａ、６ｂ）に枢動可能に取り付けられた前記部品（８ａ、８ｂ）の本体を収容するよう意図された空間（２０）を有する、請求項１０または１１に記載の留金（１）。
【請求項１３】
前記請求項１から１２のいずれか一項に記載の折り畳み式バックル留金（１）を有する、時計（３）用のバンド（２）。
【請求項１４】
前記バンド（２）の第１および第２ストランド（７ａ、７ｂ）はそれぞれ、その自由端において、前記各ストランド（７ａ、７ｂ）の内面（２２ａ）に画定されるハウジング（２１）を含む、請求項１３に記載のバンド（２）。
【請求項１５】
前記留金（１）が閉位置にあるときに、前記ハウジング（２１）は、ブレード（６ａ、６ｂ）のフレーム（１８）内に画定された空間（２０）に配置され前記ブレード（６ａ、６ｂ）に枢動可能に取り付けられる部品（８ａ、８ｂ）の本体を含む、前記第１および第２ブレード（６ａ、６ｂ）の一つを受け入れるよう構成される、請求項１４に記載のバンド（２）。
【請求項１６】
前記第１および第２ストランド（７ａ、７ｂ）内に画定された前記ハウジング（２１）は、留金（１）が閉位置にあるときに、第１および第２ブレード（６ａ、６ｂ）と可撓性を有する係止部材（４）を受け入れ可能であり、その際前記第１および第２ブレード（６ａ、６ｂ）の外側面（１７ａ）および前記可撓性を有する係止部材（４）の内側面（１５ｂ）および前記第１および第２ストランド（７ａ、７ｂ）の前記自由端の内面（２２ａ）は、実質的に単一表面に包含される、請求項１４または１５に記載のバンド（２）。
【請求項１７】
請求項１３から１６のいずれか一項に記載のバンド（２）を有する、時計（３）。
【発明の詳細な説明】
【技術分野】
【０００１】
本発明は、時計のバンド用の折り畳み式バックル留金、およびその留金を有するバンドに関するものである。
本発明はまた、そのようなバンドを有する時計に関する。
【背景技術】
【０００２】
従来、時計のバンド用の折り畳み式バックル留金は、一般的にバンドを構成する二つのストランドの間に配置され、これら二つのストランドの各端部に常に固定された状態にある。このような留金は二つの位置をとる。バンドと留金が手首の周りに延び、時計を保持することを可能とする全長を有する、時計を装着するための閉位置、および、手を超えて時計を取り外すことを可能とするために、バンドと留金の長さを延長することを可能とし、留金から取り外すことなくバンドの二つのストランドの各端部の間の距離を延長する開位置である。この留金の開構成において、バンドの二つのストランドは取り外されないため、腕時計が落ちてしまうリスクが最小限となる。
【０００３】
これに関連して、上記のような留金は従来、中央ブレードの両端にそれぞれ回転可能に取り付けられ、中央ブレードに重なって折り畳み可能な二つのブレードと、留金のロックを解除して閉位置から開位置へ留金を動かすための押しボタン装置とを有する。
【０００４】
しかしながら、このような留金の欠点の一つは、特に押しボタン装置とその関連機構を含む、構成部品の複雑な構造によって生じる、その顕著な大きさである。このようなサイズは、結果として時計の装着の際の快適さを損なう。加えて、このサイズは留金の、ひいては時計の、美的外観に顕著な悪影響を与える。
【発明の概要】
【発明が解決しようとする課題】
【０００５】
本発明の目的は、上述した先行技術における欠点を改善することにある。
【課題を解決するための手段】
【０００６】
このため、本発明は、時計のバンド用の折り畳み式バックル留金であって、装着者の手首の回りにバンドを保持するための閉位置と、装着者の手から前記バンドを取り外すための開位とを取ることができ、前記留金は前記バンドの第１及び第２ストランドそれぞれにヒンジ状に連結される第１および第２折り畳み式ブレードに枢動可能に取り付けられる各端部を含む、可撓性を有する係止部材を有し、前記可撓性を有する部材は二つの部品を弾性リンクによって連結することにより前記留金の前記閉位置にロックした状態で前記第１および第２ブレードを保持するよう構成される、留金に関する。
【０００７】
さらなる実施例によると：
−前記可撓性を有する係止部材は、前記二つの部品を含む弾性を有するブレードであり；
−前記二つの部品はそれぞれブレードに対応し；
−前記弾性リンクは、前記二つの部品のそれぞれの本体、特に前記本体の一端、に画定された連結アームを有し；
−前記弾性リンクは、前記二つの部品の前記連結アームを連結する連結要素を有し；
−前記連結アームは、一端で各部品の本体部の主要部に連結され、前記連結アームの反対側の他端で連結要素に連結され；
−各部品は本体を有し、その一端には、連結アームの一部を当該本体の主要部から離す、複数のスロット、特に二つのスロットを有し；
−前記留金は、前記可撓性を有する係止部材の実質的に凸状または凸状の外側面および前記第１および第２ブレードの実質的に凹状または凹状の外側面を含む外面を有し；
−前記第１および第２ブレードは硬いブレードであり；
−前記第１および第２ブレードはそれぞれ、複数の側部材、特に二つの側部材を有するフレームを含み；
−前記側部材は互いに平行であり；そして
−前記フレームは前記側部材の間に画定される、前記フレームを含む前記ブレードに枢動可能に取り付けられた前記部品の本体を収容するよう意図された空間を有する。
【０００８】
本発明はまた、上記の折り畳み式バックル留金を有する、時計用のバンドに関する。
【０００９】
有利には、前記バンドの第１および第２ストランドはそれぞれ、その自由端において、前記各ストランドの内面に画定されるハウジングを含む。
【００１０】
有利には、前記留金が閉位置にあるときに、前記ハウジングは、ブレードのフレーム内に画定された空間に配置され前記ブレードに枢動可能に取り付けられる部品の本体を含む、前記第１および第２ブレードの一つを受け入れるよう構成される。
【００１１】
特に、前記第１および第２ストランド内に画定された前記ハウジングは、留金が閉位置にあるときに、第１および第２ブレードと可撓性を有する係止部材を受け入れ可能であり、その際前記第１および第２ブレードと前記可撓性を有する係止部材の内側面および前記第１および第２ストランドの前記自由端は、実質的に単一表面に包含される。
【００１２】
本発明はまた、上述のバンドを有する時計に関する。
【００１３】
本発明のさらなる優位性や特徴は、以下に記載する説明的で非制限的な例を示す実施形態および添付図面によってより明らかになる。
【図面の簡単な説明】
【００１４】
【図１】図１は、本発明の実施形態に係る、開位置に構成された時計のバンド用の留金の概略図である。
【図２】図２は、本発明の実施例に係る、留金に接続されたバンドのストランドの内面を示す斜視図である。
【図３】図３は、本発明の実施例に係る、閉位置に構成された留金を含むバンドを、ある角度から見た図である。
【図４】図４は、本発明の実施例に係る、閉位置に構成された留金を含むバンドを、別の角度から見た図である。
【図５】図５は、本発明の実施例に係る、閉位置に構成された留金を含むバンドを、別の角度から見た図である。
【発明を実施するための形態】
【００１５】
以下の説明において、同一の符号は同一の部品または類似の機能を有する部品を指す。
【００１６】
折り畳み式バックル留金の特定の実施例を、非制限的にここに詳細に説明する。図１から５に示す通り、折り畳み式バックル留金１は、特に時計３に接続されるよう構成された「三つ折りバックル留金」または「二つ折りバックル留金」であってよい。しかしながら、一つの変形例において、留金１は、手首またはほかの部分に対象物を取り付けることを可能とするどのようなバンド２にも接続することができる。この対象物は、例えば震度計やスキューバダイビング用コンピュータなどのスキューバダイビングアクセサリや、宝飾部品等であってよい。バンド２は、例えば可撓性プラスチックや革や金属リンクの組立品等、どのようなタイプのものであってもよい。
【００１７】
一般的に、時計３のバンド２は、第１および第２バンド２のストランド７ａ、７ｂという二つの長いバンド２部品から構成されており、各ストランド７ａ、７ｂのそれぞれの一端は時計３のケースに連結され、自由端である他方の端は、バンド２を開および閉構成に配置することを可能とする留金１と協働するよう意図される。
【００１８】
各ストランド７ａ、７ｂの各自由端は、各ストランド７ａ、７ｂの内面２２ａに構成されたハウジング２１を有する。これらハウジング２１は、底面、およびこの底面と境界を接する三つの壁である、二つの側壁２３および後壁２４を有する。各側壁２３は互いに実質的に平行であり、後壁２４に対して垂直である。この構成において、ハウジング２１はこれらストランド７ａおよび７ｂの各端部の前縁２５に開口を有する。
【００１９】
第１および第２ストランド７ａ、７ｂは各自由端に、ハウジング２１の各側壁２３および二つのストランド７ａ、７ｂの各側壁２６に開口する貫通孔を有する。
【００２０】
この留金１は、装着者の手首の回りにバンド２を保持するための閉位置と、装着者の手からバンド２を取り外すための開いた第２位置とを取ることができる。
【００２１】
この留金１は、三つの部材４、６ａ、６ｂを有する。これらは、好ましくは硬い第１および第２折り畳み式ブレード６ａ、６ｂと可撓性を有する係止部材４である。留金のこれら部材４、６ａ、６ｂは類似の素材、特に金属材料からなることが好ましい。加えて、これらの部材４、６ａ、６ｂは連結して一体のユニットを構成してもよく、その条件下で留金１は一体のまたは一体構造の部品であってよい。
【００２２】
加えて、留金１はさらに外面および内面１５ａ、１５ｂを有する。図１に示される外面１５ａは、可撓性を有する部材４の外側面１６ａと第１および第２ブレード６ａ、６ｂの外側面１７ａを含む。同様に、内面１５ｂは、可撓性を有する部材４の内側面１６ｂと第１および第２ブレード６ａ、６ｂの内側面１７ｂを含む。
【００２３】
この留金１において、可撓性を有する係止部材４は、第１および第２ストランド７ａ、７ｂの各端部の内面２２ａに構成された各ハウジング２１内の第１および第２折り畳み式ブレード６ａ、６ｂに対して、枢動可能に取り付けられる各端部５を有する。言い換えれば、これらの第１および第２ブレード６ａ、６ｂはそれぞれ、可撓性を有する部材４の二つの端部５において、第１連結軸Ａ１と第２連結軸Ａ２との周りに枢動可能に取り付けられる。
【００２４】
これら第１および第２ブレード６ａ、６ｂはそれぞれフレーム１８を有する。このフレーム１８は側部材１９ａ、１９ｂ、特に二つの側部材、および基部１９ｃを有する。これらの側部材１９ａ、１９ｂは実質的に互いに平行かつ基部１９ｃに対して垂直である。これらの条件のもと、フレーム１８は実質的にＵ字型である。これら側部材１９ａ、１９ｂは、第１および第２ブレード６ａ、６ｂを可撓性を有する部材４の各端部５に連結するための、第１および第２連結軸Ａ１、Ａ２それぞれから始まる第一端を有する。このフレーム１８において、基部１９ｃは側部材１９ａ、１９ｂの二つの端部を連結するよう配置される。この基部１９ｃは側部材１９ａ、１９ｂの、ひいてはフレーム１８の、各外側側面に開いた貫通開口を有する。
【００２５】
この構成において、各ストランド７ａ、７ｂに関して、この貫通開口および対応する各貫通孔には固定棒または固定ロッドが挿入されるよう構成される。それにより、
−第１ストランド７ａの自由端と第１ブレード６ａとの間に第１ヒンジ付取付軸Ａ３を、および
−第２ストランド７ｂの自由端と第２ブレード６ａとの間に第２ヒンジ付取付軸Ａ４を
形成する。
【００２６】
この留金１において、特に第１および第２ブレード６ａ、６ｂの各フレーム１８において、第１および第２連結軸Ａ１、Ａ２はそれぞれ第１および第２取付軸Ａ３、Ａ４と対向する。これら第１および第２連結軸Ａ１、Ａ２と第１および第２取付軸Ａ３、Ａ４は第１および第２ブレード６ａ、６ｂを
−可撓性を有する部材４、および
−バンド２の第１および第２ストランド７ａ、７ｂの各自由端
とヒンジ取付する適切なヒンジ手段として実現可能である。
【００２７】
これら各第１および第２ブレード６ａ、６ｂのフレーム１８は、側部材１９ａ、１９ｂの間に画定された空間２０を有する。特に、この空間２０は、これら側部材１９ａ、１９ｂ、第１連結軸Ａ１および第１取付軸Ａ３の間において、第１ブレード６ａのフレーム１８内に画定される。第２ブレード６ｂのフレーム１８において、この空間２０は、側部材１９ａ、１９ｂ、第２連結軸Ａ２および第２取付軸Ａ４の間に画定される。これら二つのブレード６ａおよび６ｂにおいて、当該各空間２０は留金１の可撓性を有する部材４を収容するよう構成される。言い換えれば、空間２０は、これら各ブレード６ａ、６ｂの外側面および内側面１７ａ、１７ｂひいてはそれらのフレーム１８を連結するため各第１および第２ブレード６ａ、６ｂにそれぞれ画定された開口に対応可能である。各第１および第２ブレード６ａ、６ｂの外側面１７ａは好ましくは実質的に凹状または凹状であるのが好ましい。
【００２８】
加えて、二つのブレード６ａ、６ｂのうちの一つのフレーム１８に画定された上記空間２０は、特に、ブレード６ａ、６ｂのフレーム１８に枢動可能に取り付けられた、以下に説明する可撓性を有する部材４の各部品８ａ、８ｂのうちの一つの本体を収容するよう形成される。これに関連して、この空間２０は可撓性を有する部材４の各部品８ａ、８ｂのうちの一つの本体に対して相補的な形状を有する。さらに、この本体は、第１および第２ブレード６ａ、６ｂのそれぞれのフレーム１８の厚さより少ないか同じ厚さを有する。
【００２９】
この可撓性を有する部材４は、留金１の閉位置にロックされる形で、特に第１および第２ブレード６ａ、６ｂをバンド２の各ストランド７ａ、７ｂの内面２２ａに画定された各ハウジング２１に折りたたんだ状態で保持するよう構成される。この可撓性を有する部材４は、弾性リンク９によって連結される二つの部品８ａ、８ｂを有する。可撓性を有する部材４および特にこの弾性リンク９は、留金１の運動を保証し、さらに詳細には留金１のロックとロック解除およびまたは閉位置および開位置での構成を実現することを助ける。
【００３０】
この可撓性を有する部材４において、これら二つの部品８ａ、８ｂは好ましくはそれぞれブレードに対応する。一つの変形例において、可撓性を有する部材４は弾性を有するブレードまたは可撓性を有するブレードである。言い換えれば、このような変形例において、これら二つの部品８ａ、８ｂは単一の弾性を有するブレードを形成する。この可撓性を有する部材４は同様に外側面および内側面１６ａ、１６ｂを有する。外側面１６ａは好ましくは実質的に凸状または凸状である。別の変形例において、この可撓性を有する部材４はブレード以外の弾性リンク要素であり、特に、第１および第２ブレード６ａ、６ｂ同士を連結可能とする構造およびまたは形状を有するものである。この後者の変形例において、留金１は二つのブレード６ａ、６ｂ、第１および第２ブレード６ａ、６ｂ、および可撓性を有する部材４を有する。本発明の当該実施例において、留金１が少なくとも２つのブレードを有することが理解されよう。
【００３１】
このような可撓性を有する部材４はこれら二つの部品８ａ、８ｂおよび二つの部品８ａ、８ｂの間にある弾性リンク９に関連する連結要素１１を有する。この連結要素１１は部材４の中央部に配置される。
【００３２】
二つの部品８ａ、８ｂの間の弾性リンク９は、連結要素１１と、各部品８ａ、８ｂ、の本体内、特に本体の一端部、に画定された連結アーム１０ａ、１０ｂを含む。特に、各部品８ａ、８ｂの本体はそれぞれ主要部１２ａ、１２ｂと連結アーム１０ａ、１０ｂを有する。当該連結アーム１０ａ、１０ｂはそれぞれ側壁２７を有し、これらは本体に形成された複数のスロット１４によって各部品８ａ、８ｂの本体の主要部１２ａ、１２ｂから離される。言い換えれば、各部品８ａ、８ｂの端部は、連結アーム１０ａ、１０ｂの一部を本体の主要部１２ａ、１２ｂから離すことを意図する複数のスロット１４、特に二つのスロット１４を有する。この可撓性を有する部材４において、各連結アーム１０ａ、１０ｂはその一端１３ａにおいて各部品８ａ、８ｂの本体の主要部１２ａ、１２ｂに連結され、前記アーム１０ａ、１０ｂの反対端１３ｂである他端において連結要素１１に連結される。
【００３３】
そのため、この構成において、このようなリンク９が可撓性を有する部材４に弾性を与えるのを助けている。特に、留金１をロックおよびロック解除する際に、連結アーム１０ａ、１０ｂおよび連結要素１１は、可撓性を有する部材４の外側面および内側面１６ａ、１６ｂに実質的に垂直または垂直な方向に、特に各部品８ａ、８ｂの本体の主要部１２ａ、１２ｂに対して、移動可能である。
【００３４】
本発明に係る留金１のロックについて、図１から５を参照しつつ詳細に説明する。図１および２に示される留金１の開いたつまり折りたたまれていない位置から始まり、可撓性を有する部材４は、第１および第２折り畳み式ブレード６ａ、６ｂがバンド２のストランド７ａ、７ｂの各自由端に形成された側部材２１の方向に沿った第１および第２軸Ａ１、Ａ２の回りを旋回するよう操作される。この操作の間、可撓性を有する部材４の各部品８ａ、８ｂの本体は徐々に配置され、第１および第２ブレード６ａ、６ｂはこれらブレード６ａ、６ｂの各フレーム１８に画定された空間２０内の各ハウジング２１に向かって移動する。
【００３５】
この作業の間、可撓性を有する部材４は、不安定平衡点を形成する臨界点を超えるまで、引張力のもとで徐々に伸ばされ、臨界点を超えると可撓性を有する部材４は緩む。特に、この臨界点に達した時、可撓性を有する部材４における張力は最大に達し、この臨界点を超えてしまうと、可撓性を有する部材４は緩み、連結要素１１を第１および第２ブレード６ａ、６ｂの間、特にこれら第１および第２ブレード６ａ、６ｂの各フレーム１８の各基部１９ｃ間に、画定されたハウジング内に収納するよう移動させる。その後、留金１は図３から５に示される閉位置をとる。この閉位置において、可撓性を有する部材４の各部品８ａ、８ｂの本体は第１および第２ブレード６ａ、６ｂの各空間２０に配置され、後者は各ハウジング２１に折りたたまれ、特にこれらブレード６ａ、６ｂの外側面１７ａおよび可撓性を有する部材４の各部品８ａ、８ｂの内側面１６ｂおよび第１および第２ストランド７ａ、７ｂの各自由端の内面２２ａが実質的に単一平面に含まれる。
【００３６】
この閉位置において、可撓性を有する部材４による各ハウジング２１内への第１および第２ブレード６ａ、６ｂの保持、および第１および第２ブレード６ａ、６ｂの間に画定されたハウジング内への連結要素１１の保持は、可撓性を有する部材４の張力によって保証される。可撓性を有する部材４は残った遊びがある場合それを取り除く付勢張力を維持する。この閉位置において、第１および第２ブレード６ａ、６ｂに及ぼされる、ブレードに接続されるバンド２の第１および第２ストランド７ａ、７ｂを介して与えられる各長手軸Ａ５に平行な引張力は、留金１を開かないようにするだけでなく、そのロック力を増すものである。
【００３７】
留金のロック解除について、詳細に説明する。図３から５に示される閉位置において、装着者は第１およびまたは第２ストランド７ａ、７ｂ（特に第１およびまたは第２ストランド７ａ、７ｂの端部）を介して第１およびまたは第２ブレードに対して、ストランド７ａ、７ｂの端部の外面２２ｂに対して実質的に垂直である力をかけ、可撓性を有する部材４に関連して第１およびまたは第２ブレード６ａ、６ｂを移動させる。この操作は、可撓性を有する部材４の張力が最大である臨界点を超えるまで続けられる。臨界点を超えると、可撓性を有する部材４は緩み、部材４および第１および第２ブレード６ａ、６ｂが折り畳み状態から開かれる。留金１はその後、図１に示す開位置となり、可撓性を有する部材４は付勢されない状態となり、第１および第２連結軸Ａ１、Ａ２の周りを自由に旋回可能であり、同じく第１および第２ブレード６ａ、６ｂが可撓性を有する部材４の周りを、そして第１および第２ストランド７ａ、７ｂも第１および第２取付軸Ａ３、Ａ４の周りを自由に旋回可能である。
【００３８】
本発明による留金１をロックまたロック解除するのに必要な力は、可撓性を有する部材４の弾性特性に特に依存し、特にこの部材４の各部品８ａ、８ｂの間に実現される弾性リンク９の特性に特に依存する。この弾性リンク９の構成は、留金１のロックを解除するのに必要な高い引張力を実現し、留金１をより確実なものとする。
【００３９】
本発明に係る留金１は、留金１が閉位置にあるとき、ストランド７ａ、７ｂに画定された各ハウジング２１に可撓性を有する部材４および第１および第２ブレード６ａ、６ｂを配置することにより、バンド２の第１および第２ストランド７ａ、７ｂの端部の厚みに留金１を組み入れることを含む、様々な長所を有する。そのため、この閉位置において、留金１は外側からは見えないため、バンド２およびまたは時計３の全体的外観に悪影響を及ぼすことなく、留金１の作動を損なうことなく、バンド２およびまたは時計３をカスタマイズすることができる。さらにこれに関連して、従来の折り畳み式バックル留金に関して生じていた過度な厚みによる不便さに比べ、当該留金１による時計３の装着に関連する利便性を高めることができる。
【００４０】
加えて、可撓性を有する部材４と直列に配置された第１および第２ブレード６ａ、６ｂおよび留金１を構成するいくつかの部品により、留金１が閉位置においてはコンパクトなサイズであり、開位置においては十分に折り畳み状態から開かれることを可能としている。
【符号の説明】
【００４１】
１      留金
２      バンド
３      時計
４      係止部材
５      端部
６ａ    第１ブレード
６ｂ    第２ブレード
７ａ    第１ストランド
７ｂ    第２ストランド
８ａ、８ｂ    部品
９      弾性リンク
１０ａ、１０ｂ    連結アーム
１１    連結要素
１２ａ、１２ｂ    本体の主要部
１４    スロット
１５ａ  外面
１６ａ  外側面
１６ｂ  内側面
１７ａ  外側面
１７ｂ  内側面
１８    フレーム
１９ａ、１９ｂ  側部材
【図１】
2020513981.tif 000003
【図２】
2020513981.tif 000004
【図３】
2020513981.tif 000005
【図４】
2020513981.tif 000006
【図５】
2020513981.tif 000007
【国際調査報告】
2020513981.tif 000008
2020513981.tif 000009
2020513981.tif 000010
2020513981.tif 000011